【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
入力される情報が複数割り当てられる入力キーであって、
押下されるキートップと、
前記キートップが押下されたことを検出するとともに、当該キートップの押下を検出した場合、所定の基準位置からの当該キートップの相対的な位置ずれを検出する検出手段と、
を備えた入力キー。
【請求項２】
前記検出手段は、キートップと共に押下される第１接点と、押下された第１接点が電気的に接触する導電片を複数有する第２接点とを含んで構成され、
前記キートップは、その押下方向に加えて押下方向と交差する放射方向に複合的に移動可能に構成されており、
前記キートップの押下操作に伴なう複数の移動方向に応じ、前記第１接点が前記第２接点の異なる位置に配置された導電片の２片以上に接触するように構成されていることを特徴とする請求項１記載の入力キー。
【請求項３】
前記検出手段は、キートップと共に押下される第１接点と、押下された第１接点の接近により誘導電圧を発生するセンサコイルを複数有する第２接点とを含んで構成され、
前記キートップは、その押下方向に加えて押下方向と交差する放射方向に複合的に移動可能に構成されており、
前記キートップの押下操作に伴なう複数の移動方向に応じ、前記第１接点が前記第２接点の異なる位置に配置されたセンサコイルに接近することにより、前記センサコイルが異なる大きさの誘導電圧を発生するように構成されていることを特徴とする請求項１記載の入力キー。
【請求項４】
前記キートップがその移動方向に弾性変形可能な柔軟性のある材料で構成されており、このキートップに前記第１接点が支持されていることを特徴とする請求項２又は３に記載の入力キー。
【請求項５】
前記第１接点を支持する支持部材と、この支持部材を支持する弾性体とを備え、前記支持部材の一部位がキートップを構成していることを特徴とする請求項２又は３に記載の入力キー。
【請求項６】
入力される情報を入力キーの押下操作により入力する装置であって、同一の入力キーに複数の前記入力される情報が割り当てられる入力装置において、
前記入力キーが、
押下されるキートップと、
前記キートップが押下されたことを検出するとともに、当該キートップの押下を検出した場合、所定の基準位置からの当該キートップの相対的な位置ずれを検出する検出手段と、
を備えたことを特徴とする入力装置。
【請求項７】
前記検出手段は、前記入力キーのキートップと共に押下される第１接点と、押下された第１接点が電気的に接触する導電片を複数有する第２接点とを含んで構成され、
前記入力装置は、前記第１接点が接触する第２接点の２片以上の導電片の導通信号に基づき、前記入力キーに割り当てられた複数の前記入力される情報の１つを選択する情報選択手段をさらに備え、
前記キートップは、その押下方向に加えて押下方向と交差する放射方向に複合的に移動可能に構成されており、
前記キートップの押下操作に伴なう複数の移動方向に応じ、前記第１接点が前記第２接点の異なる位置に配置された導電片の２片以上に接触することにより、前記情報選択手段により選択された１つの情報が入力されるように構成されていることを特徴とする請求項６記載の入力装置。
【請求項８】
前記検出手段は、前記入力キーのキートップと共に押下される第１接点と、押下された第１接点の接近により誘導電圧を発生するセンサコイルを複数有する第２接点とを含んで構成され、
前記第１接点の接近により第２接点のセンサコイルが発生する誘導電圧の大きさに基づき前記入力キーに割り当てられた複数の前記入力される情報の１つを選択する情報選択手段をさらに備え、
前記キートップは、その押下方向に加えて押下方向と交差する放射方向に複合的に移動可能に構成されており、
前記キートップの押下操作に伴なう複数の移動方向に応じ、前記第１接点が前記第２接点の異なる位置に配置されたセンサコイルに接近することにより、前記情報選択手段により選択された１つの情報が入力されるように構成されていることを特徴とする請求項６記載の入力装置。
【請求項９】
前記情報選択手段により参照され、前記入力キーに割り当てられた複数の前記入力される情報が前記キートップの移動方向に対応して格納された変換テーブルと、
この変換テーブルの内容を任意に書き換え可能な変換テーブル書換え手段と、
をさらに備えていることを特徴とする請求項７又は８に記載の入力装置。
【請求項１０】
前記情報選択手段により参照され、前記入力キーに割り当てられた複数の前記入力される情報が前記キートップの移動方向に対応して格納された変換テーブルと、
前記入力キーにより入力される各情報の入力回数をそれぞれ集計する入力回数集計手段と、
この入力回数集計手段の集計結果に応じて前記変換テーブルの内容を書き換える変換テーブル書換え手段と、
をさらに備え、
前記変換テーブル書換え手段は、操作し易い特定の入力キーの特定の移動方向に割り当てられている情報より入力回数の多い情報を、前記特定の入力キーの特定の移動方向に割り当てて書き換えるように構成されている、
ことを特徴とする請求項７又は８に記載の入力装置。
【請求項１１】
前記情報選択手段により参照され、前記入力キーに割り当てられた複数の前記入力される情報が前記キートップの移動方向に対応して格納された変換テーブルと、
前記入力キーにより入力される各情報の入力回数をそれぞれ集計する入力回数集計手段と、
この入力回数集計手段の集計結果に応じて前記変換テーブルに前記情報を登録する変換テーブル登録手段と、
をさらに備え、
前記変換テーブル登録手段は、前記変換テーブルに登録されている既登録の情報より入力回数の多い未登録の情報を、当該既登録の情報に替えて再登録するように構成されていることを特徴とする請求項７又は８に記載の入力装置。
【請求項１２】
前記入力キーに対する押下操作中に、当該時点における当該入力キーへの複数の入力される情報の割当て情報を外部の表示装置に出力し、当該複数の入力される情報のうち当該時点での押下操作に対応した入力候補となる情報を前記表示装置に強調表示させる制御手段をさらに備えた請求項６〜１１の何れか１項に記載の入力装置。
【手続補正２】
【補正対象書類名】明細書
【補正対象項目名】００１１
【補正方法】変更
【補正の内容】
【００１１】
ここで、検出手段は、キートップと共に押下される第１接点と、押下された第１接点が電気的に接触する導電片を複数有する第２接点とを含んで構成され、キートップは、その押下方向に加えて押下方向と交差する放射方向に複合的に移動可能に構成されており、キートップの押下操作に伴なう複数の移動方向に応じ、第１接点が第２接点の異なる位置に配置された導電片の２片以上に接触するように構成とすることが望ましい。
【手続補正３】
【補正対象書類名】明細書
【補正対象項目名】００１９
【補正方法】変更
【補正の内容】
【００１９】
ここで、検出手段は、前記入力キーのキートップと共に押下される第１接点と、押下された第１接点が電気的に接触する導電片を複数有する第２接点とを含んで構成され、入力装置は、第１接点が接触する第２接点の２片以上の導電片の導通信号に基づき、入力キーに割り当てられた複数の前記入力される情報の１つを選択する情報選択手段をさらに備え、キートップは、その押下方向に加えて押下方向と交差する放射方向に複合的に移動可能に構成されており、キートップの押下操作に伴なう複数の移動方向に応じ、前記第１接点が前記第２接点の異なる位置に配置された導電片の２片以上に接触することにより、前記情報選択手段により選択された１つの情報が入力されるように構成とすることが望ましい。
【手続補正４】
【補正対象書類名】図面
【補正対象項目名】図１３
【補正方法】変更
【補正の内容】
【図１３】
2005122686.tif 000001